Podtech/llm-jp-corpus-v4-ja_patent huggingface dataset:
(57)【要約】【課題】  公園等に設置する滑り台において，従来から有る物は凹型の形状の滑り面で構成されたものがほとんどであり，滑り台の遊び方も画一的となってしまっていた。【解決手段】  従来から有る凹型の形状の滑り面では無く，またがって滑り降りる為の凸型半球の滑り面形状を作り，その凸型半球形状部分をまたいで滑る事が出来る滑り台を，提供する事により，遊びの種類が増え，設置場所（公園，学校，保育所等）の，遊び場の活性化を計ることが出来る。【選択図】  図１
0003101709.tif 000002
【実用新案登録請求の範囲】
【請求項１】
公園等に設置する滑り台において，またがって滑り降りる為の凸型半球の滑り面形状を持つもの。
【請求項２】
滑り台において，またがって滑り降りる為の凸型半球の滑り面形状を持ち両側に凹型形状の滑り台を付けたもの。
【考案の詳細な説明】
【技術分野】
【０００１】  本考案は公園施設等における滑り台の，遊びの方法を増やす為の形状に関する考案。
【背景技術】
【０００２】  従来は，すべり面が凹型形状の部分を滑り降りるものが一般的。
【考案の開示】
【考案が解決しようとする課題】
【０００３】  従来の滑り台に無い，新しい形状の滑り台を提供する事で，設置場所（公園，学校，保育所等）の活性化を計る。
【課題を解決するための手段】
【０００４】  従来の凹型形状の部分を座って滑らせるのでは無く，凸型半球形状部分を，またいで滑らせる。
【考案の効果】
【０００５】  またがって滑るという新しい体験を与える事で利用する人間にスリルと爽快感を与え，ひきつける。
【考案を実施するための最良の形態】
【０００６】  ＦＲＰ等の材料で，またがって滑り降りる為の凸型半球形状部分と，滑る途中で外れても安全に地面まで誘導できる凹型形状部分を有する構造とすること。
【実施例】
【０００７】
【産業上の利用の可能性】
【０００８】
【図面の簡単な説明】
【０００９】
【図１】鳥瞰図
【符号の説明】
凸型半球形状部分１にまたがり滑り降りる。もし滑る途中でバランスを崩しても，凹型形状部分２で地面まで，誘導できる。
【図１】
0003101709.tif 000003
(57)【要約】      （修正有）【課題】迷子札に自由な情報を印刷し、真鍮の薄い板を使用することで本体の軽量化を実現し、ドーム状に加工した透明アクリルを、耐水紙またはアルミプレートを使用した印刷面を接着することにより、製品の耐水性と耐久性を実現する。【解決手段】本体１をプレスして皿状にすることにより、軽量化と、水の浸入を防ぎ、印刷面５を透明アクリル２に接着させることにより、さらに耐水性の効果と耐久性の向上、紫外線などからの色あせの防止を可能としている。かつ、印刷面５の素材には、耐水紙、またはアルミプレートを使用し、万一の際の水の浸入にも考慮した。それにより、天候を問わず、常時使用が可能となった。【選択図】図５
0003101754.tif 000002
【実用新案登録請求の範囲】
【請求項１】
真鍮を皿状にプレスして軽量化をはかった本体部に、丸カンを溶接して金具の取り付け部を設け、さらに耐水用紙及びアルミプレートに自由な情報を印刷し、それをアクリルドームでコートすることで製品の耐水性と強度を持たせることを特徴とした迷子札
【考案の詳細な説明】
【技術分野】
【０００１】  本考案は、ペット情報もしくは個人情報を載せた印刷面に透明なドーム状のアクリルを載せて加工した迷子札に関するものである。
【技術背景】
【０００２】  印刷したり手書きの名札を身につけていた場合、雨に濡れ情報が見えなくなったり、外観及び材質が簡素なものになってしまい、耐久性が低下してしまっていた。
【考案の開示】
【考案が解決しようとする課題】
【０００３】  材質を金属等にした場合、強度は保つことが出来るが、情報量は不足し、又、自重が増えてしまう為、ペットの首、または人間の首につける際、大きな負担となる要素がある。特に小型のペットの場合は大きな負担となってしまう。紙またはビニール等で製作した場合、雨等で濡れた時、強度は保つことが出来なくなる。従って、軽量の真鍮製の皿を使用し、自由な情報を印刷したものに、ドーム状に加工したアクリルを被せることで、前述の欠点を解決しようとするものである。
【課題を解決するための手段】
【０００４】  本考案は、真鍮を皿状にプレスすることにより、軽量化と強度を保つ目的を有している。又、印刷面が大きいことで、より多くの情報の掲載が可能となった。さらに、ドーム状に加工したアクリルを印刷面の上部に貼ることで、雨などによる水の浸透を防ぎ、且つ、紫外線などによる、製品の色あせも防いでいる。
【考案の効果】
【０００５】  上述のように、本考案のアクリルドーム加工迷子札は、軽量かつ、耐久性も確保でき、迷子札に必要な情報も、自由に掲載することが出来る。
【考案を実施するための最良の形態】
【０００６】  真鍮をプレスして皿状にした本体部に丸カンを溶接して設け、さらにその丸カンの部分に金具を付けることで、首輪や鞄に取り付けられる。又は、チェーン等に取り付けることで、ネックレスとして使用する。
【実施例】
【０００７】  以下、図面を参照して、本考案の実施例を説明する。符号１は、真鍮で出来た薄い板をプレスして皿状にした本考案の本体部、２は印刷面を保護するためのドーム状の加工した透明アクリルで、５の情報を印刷した耐水紙及びアルミプレートに接着させるもの。【０００８】  符号３は、本考案を取り付ける際、チェーンや金具などを接続させる為、本体部に溶接してある丸カンである。４は、１と５を接合させるための両面テープである。６及び８は、本考案を実施するための手段として利用する金具である。【０００９】  本考案の一実施例は上述の如き構成からなるものであるから、符合６及び８を使用して首輪、鞄などに、ネックレスとして使用する。
【図面の簡単な説明】
【００１０】
【図１】本考案のアクリルドーム加工迷子札の一実施例を示す正面図である。
【図２】図１の側面図である。
【図３】図１に金具を取り付けた際の実施例である。
【図４】図１にチェーンを取り付けた際の実施例である。
【図５】図１を分解した側面図である。
【符号の説明】
【００１１】１  真鍮の薄い板をプレスして皿状にした本体部
２  ドーム状に加工した透明アクリル
３  丸カン
４  両面テープ
５  印刷面
６  ナスカン
７  丸カン
８  チェーン
【図１】
0003101754.tif 000003
【図２】
0003101754.tif 000004
【図３】
0003101754.tif 000005
【図４】
0003101754.tif 000006
【図５】
0003101754.tif 000007
(57)【要約】 【課題】  布団干しの際に一人で簡単に巻き掛けできる使い勝手の良い布団干しベルトを提供する。【解決手段】  ベルト２の端部に結離自在の連結具５を設けてベルト２を環状に連結可能とすると共に、一方の連結具５にクリップ６を一体形成して構成した。布団干しの際、このクリップ６を利用して布団の端に連結具５の一方を仮止めしておくことにより、布団干しベルト１の巻き掛け作業は極めて容易に行え、且つ、布団は確実に保持・固定できる。【選択図】    図１
0003101758.tif 000002
【実用新案登録請求の範囲】
【請求項１】
ベルトの端部に結離自在の連結具を設けて当該ベルトを環状に連結可能とすると共に、前記一方の連結具にクリップを一体形成したことを特徴とする布団干しベルト。
【考案の詳細な説明】
【技術分野】
【０００１】
本考案は、布団干しや高層住宅等のベランダの手摺りを利用して布団を干す場合に用いて好適な布団干しベルトに関するものである。
【背景技術】
【０００２】
高層住宅のベランダ等に布団を干す場合、布団を二つ折りにしてベランダの手摺等に引っ掛け、例えば、その上部２カ所を合成樹脂製の大型クリップにて上から挟み込んで固定しておくのが一般的な方法である。
ところが、このクリップは、長期間使用している間に弾性が低下し挟持力が弱くなったり、或いは、強風時に布団の下方が風に煽られて捲り上ったりすると、クリップと共に階下に落下する危険性があった。
【０００３】
このため、このような大型クリップに替わり、結離自在の環状ベルトを引っ掛けた布団に巻き掛してその周部を帯状に固定する布団干しベルトも提案されている。布団干しベルトを用いれば、布団の上部から下部にかけて何処でも自由に巻き掛し、固定することができるため、強風等による布団の捲り上がりを防止して、手摺り等からの落下を回避することができる。
【考案の開示】
【考案が解決しようとする課題】
【０００４】
しかしながら、布団は他の衣類等と違って重く、且つ、幅広であるため、布団にベルトを巻き掛けするのは結構手間の掛かる作業であり、よって、布団干しは女性にとって悩みの種であった。
本考案は、このような問題に鑑み、布団干しの際に一人で簡単に巻き掛けできる使い勝手の良い布団干しベルトを提供することを目的としている。
【課題を解決するための手段】
【０００５】
すなわち、本考案は、ベルトの端部に結離自在の連結具を設けて当該ベルトを環状に連結可能とすると共に、前記一方の連結具にクリップを一体形成したことを特徴としている。
【０００６】
本構成では、このクリップを利用して布団干しやベランダの手摺等に引っ掛けた布団の端に連結具の一方を仮止めしておけるので、布団干しの際の布団干しベルトの巻き掛け作業が極めて容易に行える。
【考案の効果】
【０００７】
以上説明したように、本考案によれば、ベルトの端部に結離自在の連結具を設けてベルトを環状に連結可能とすると共に、一方の連結具にクリップを一体形成したので、布団干しの際、このクリップを利用して布団の端に連結具の一方を仮止めしておくことにより、布団干しベルトの巻き掛け作業は極めて容易に行え、且つ、布団は確実に保持・固定できる。
【０００８】
また、連結部にクリップを一体形成したので、仮止め機構が簡略化され、安価で使い勝手の良い布団干しベルトを提供することができる。
【考案を実施するための最良の形態】
【０００９】
以下、図１〜図３に基づいて本考案の一実施形態を説明する。
【００１０】
図１は、本考案に係る布団干しベルトの要部を示す図、図２は、連結具の内部構造を示す断面図、図３は、本考案の布団干しベルトの使用方法を示す説明図である。
【００１１】
図１に示すように、本実施形態の布団干しベルト１は、合成樹脂製のベルト２と、当ベルト２の端部に取り付けた合成樹脂製のプラグ部３とソケット部４より成る結離自在の連結具５と、このソケット部４の上面４ａに一体的に形成したクリップ６とで構成されている。
【００１２】
ソケット部４は、扁平な箱形で、図２に示すように、箱体両側部の凹状部７、７に孔７ａ、７ａが形成されていると共に、箱体内部の中央部に１本の係合突片８が突設されている。また、このソケット部４の一端部に枠部９が形成されており、ベルト２の一端部がこの枠部９に挿通され折り返えされて、その折り返し端部がベルト本体側に貼着されることにより、ベルト２の一端がソケット部４に止着されるようになっている。
【００１３】
また、このソケット部４の上面４ａのクリップ６は、板バネ１１により常時閉方向に付勢されて、支軸１０を支点に開方向に回動する可動片１２を備えており、この可動片１２がソケット部４の上面４ａを固定片とするクリップ６を構成している。ソケット部４の上面４ａ、即ち、クリップ６の固定片は、表面を凸凹に形成すると共に、当固定片に当接する可動片１２の先端部分を楔状として、介在物の滑りを防止している。
【００１４】
プラグ部３は、図２（ａ）に示すように、両側から平行に突設されて先端部に係合爪１４を設けた弾性係合片１３と、中央部から突設されて、先端部を広げた係合溝１５を有する係合突片１６を備え、ソケット部に４にプラグ部３を嵌入すると、図２（ｂ）に示すように、ソケット部４の係止突片８が係合突片１６の係合溝１５に係合すると共に、弾性係合片１３の係合爪１４、１４がソケット部４両側部の孔７ａ、７ａに係止されて連結具５がロックするようになっている。
【００１５】
また、図１（ａ）に示すように、このプラグ３の一端部には、外方の枠部１７と、内縁に凹凸１９を形成した内方の枠部１８とが並設されており、ベルト２の他端がこの内方の枠部１８に挿入された後、折り返されて外方の枠部１７を通過することにより、ベルト２をプラグ３に任意の長さで止着できるようになっている。折り返されたベルト２を張引すると、ベルト２の折曲部分が枠部１８の凹凸１９に食い込んで弛むことはない。
【００１６】
上記構成の布団干しベルト１を用いて、例えば、ベランダの手摺りに布団を干す場合は、図３に示すように、先ず、布団２０を２つ折りにして手摺り２１に引っ掛ける。そして、連結具５を分離した状態にしてそのソケット部４をクリップ６により布団２０の端に仮止めする。そして、反対側のプラグ部３を摘んで、布団２０にベルト２を巻き掛けする。
この作業は、ベルト２の一端が布団２０に仮止めされているので極めて簡単に行える。
【００１７】
巻き掛けが済んだらクリップ６止めを外してベルト２の両端のプラグ３とソケット４を連結し、ベルト２を環状にすることにより、布団２０を帯状に固定する。この際のベルト２の締め付け具合は、既述したプラグ３側のベルト止着操作で任意に調整することができる。
これにより、布団２０は手摺り２１に確実に保持・固定でき、強風等があっても脱落する心配はない。
【図面の簡単な説明】
【００１８】
【図１】本考案に係る布団干しベルトの要部を示し、（ａ）は平面図、（ｂ）は側面図。
【図２】連結具の構造を示し、（ａ）はプラグとソケットの平断面図、（ｂ）はプラグとソケットが連結された状態を示す平断面図。
【図３】本考案に係る布団干しベルトの使用方法を示す説明図。
【符号の説明】
【００１９】
１  布団干しベルト
２  ベルト
５  連結具
６  クリップ
【図１】
0003101758.tif 000003
【図２】
0003101758.tif 000004
【図３】
0003101758.tif 000005
(57)【要約】【課題】  コンクリートブロック搬送・据付装置を使用して敷きモルタルを均した基礎上を走行しても敷きモルタルが適正な厚さを確保することができるコンクリートブロック搬送・据付装置を提供するものである。【解決手段】  本考案は、コンクリートブロックの連結具を有する荷台部と駆動基部を有する後部継材とで構成されており、荷台部の先端部には前方走行部および昇降補助部を軸支した前部作動部が枢支され、かつ荷台部の中間部には前記前方走行部および昇降補助部に連結する油圧シリンダーが枢支されており、前記後部継材には油圧駆動部と後輪駆動部と操作部とからなる駆動基部が備えたコンクリートブロック搬送・据付装置であって、前記前方走行部には敷きモルタル均し治具が車輪を囲むようにほぼ水平に取り付けたことを特徴とするコンクリートブロック搬送・据付装置を採用した。【選択図】  図２
0003101787.tif 000002
【実用新案登録請求の範囲】
【請求項１】
コンクリートブロックの連結具を有する荷台部と駆動基部を有する後部継材とで構成されており、前記荷台部の先端部には前方走行部および昇降補助部を軸支した前部作動部が枢支され、かつ荷台部の中間部には前方走行部および昇降補助部に連結する油圧シリンダーが枢支されており、前記後部継材には油圧駆動部と後輪駆動部と操作部とからなる駆動基部を備えたコンクリートブロック搬送・据付装置であって、前記前方走行部には敷きモルタル均し治具が車輪を囲むようにほぼ水平に取り付けたことを特徴とするコンクリートブロック搬送・据付装置。
【考案の詳細な説明】
【技術分野】
【０００１】  本考案は、コンクリートブロック搬送・据付装置が走行した後の散乱した基礎上の敷きモルタルを均す治具を取り付けたコンクリートブロック搬送・据付装置に関するものである。
【背景技術】
【０００２】  従来のコンクリートブロックの据付はトラッククレーンで吊り上げて行っているが狭小な、坑内、道路、鉄道の高架等の場所には接近できないことから特開２００２−２８５６２７にあるようなコンクリートブロック搬送・据付装置が採用されていた。
しかし、この搬送・据付装置を使用してコンクリートブロックを搬送する場合、基礎上の敷きモルタルの上を走行するため装置の重みで敷きモルタル上に車輪の跡がつき適正な敷きモルタル厚が確保されず、人力で敷きモルタルを再度均していた。
【特許文献１】特開２００２−２８５６２７
【考案の開示】
【考案が解決しようとする課題】
【０００３】  本考案は、コンクリートブロック搬送・据付装置を使用して敷きモルタルを均した基礎上を走行しても敷きモルタルが適正な厚さを確保することができるコンクリートブロック搬送・据付装置を提供するものである。
【課題を解決するための手段】
【０００４】  本考案は、コンクリートブロックの連結具を有する荷台部と駆動基部を有する後部継材とで構成されており、前記荷台部の先端部には前方走行部および昇降補助部を軸支した前部作動部が枢支され、かつ荷台部の中間部には前記前方走行部および昇降補助部に連結する油圧シリンダーが枢支されており、前記後部継材には油圧駆動部と後輪駆動部と操作部とからなる駆動基部を備えたコンクリートブロック搬送・据付装置であって、前記前方走行部には敷きモルタル均し治具が車輪の後方側を囲むようにほぼ水平に取り付けたことを特徴とするコンクリートブロック搬送・据付装置を採用した。
【考案の効果】
【０００５】  コンクリートブロック搬送・据付装置が走行と同時に敷きモルタルを適正な厚さに敷き均すことができるので、人力作業が不要となった。
【考案を実施するための最良の形態】
【０００６】  以下、本考案のコンクリートブロック搬送・据付装置を図示の実施例に従って説明する。【０００７】  図１は、自走式のコンクリートブロック搬送・据付装置Ａに係る平面図であって、荷台部３と、該荷台部３に固設される後部駆動部２と、前記荷台部３の先端部３１１に軸支される前部作動部１とから構成されている。前記荷台部３の中間部には前方走行部４、昇降補助部５とを連結する一対の油圧シリンダー６、７がそれぞれ枢支されており、前方走行部４車輪４１と車輪支持板４２からなり、昇降補助部５も車輪５１と車輪支持板５２からなっている。駆動基部３３には後部継材３４と油圧駆動部２１が、後輪駆動部２２と操作部２３と後輪２４と後輪用油圧シリンダー２５とからなる後部駆動部２が構成されている。
前方走行部４の車輪４１には敷きモルタル均し治具８が車輪４１の後方側を囲むようにほぼ水平に取り付けてある。【０００８】図２は、図１に示した自走式のコンクリートブロック搬送・据付装置Ａに係る側面図であって、荷台部３の下にはコンクリートブロックＢと連結するための結合金具３１２を間隔をおいて備えている。【０００９】図３は、前方走行部４の車輪４１に敷きモルタル均し治具８を取り付けた側面部分拡大図である。
図３に示すように、コンクリートブロックＢを保持して基礎Ｃ上の敷きモルタルＤ上を走行するとコンクリートブロック搬送・据付装置Ａの重みで敷きモルタルＤが除けられ車輪のわだちができる。除けられた敷きモルタルＤが均し治具８によってかき集められコンクリートブロック搬送・据付装置Ａが走行することによって均し治具８が敷きモルタルＤを均して所定の敷きモルタル厚が確保される。
また、この均し治具８は敷きモルタルＤの厚さによって上下自由に取付調整が可能である。
【図面の簡単な説明】
【００１０】
【図１】本考案の自走式のコンクリートブロック搬送・据付装置の平面図である。
【図２】図１に示した自走式のコンクリートブロック搬送・据付装置の側面図である。
【図３】図１に示した自走式のコンクリートブロック搬送・据付装置の前方走行部の側面部分拡大図である。
【符号の説明】
【００１１】Ａ  コンクリートブロック搬送・据付装置
Ｂ  コンクリートブロック
Ｃ  基礎
Ｄ  敷きモルタル
１  前部作動部
２  後部駆動部
３  荷台部
４  前方走行部
５  昇降補助部
６、７  油圧シリンダー
８  均し治具
【図１】
0003101787.tif 000003
【図２】
0003101787.tif 000004
【図３】
0003101787.tif 000005
(57)【要約】      （修正有）【課題】発光体の光源を１００％活用でき、取り外しが楽で、集魚効果が高いルアーを提供する。【解決手段】発光体１，２その物をルアーの目の部分へ、横腹部分へ直接取付ける。同じ発光体を何回でも取り外しが出来る。ルアー外部に直接発光体が取り付けられるため、光を発するのに何の隔たりもない１００％の光源が得られる。【選択図】図１
0003101785.tif 000002
【実用新案登録請求の範囲】
【請求項１】
ルアー本体（３）に取り外し可能な発光体（１，２）を流線型にして直接取付け、より一層集魚性を飛躍的に高めるとともに、魚の誘引効果を高めるルアー。
【考案の詳細な説明】
【技術分野】
【０００１】本発明は、釣具のルアーに関する。
【背景技術】
【０００２】従来のルアーは、発光体をルアーの内部に設置、または、外部にホルダーを取付けて発光体を光らせている。
【考案の開示】
【考案が解決しようとする課題】
【０００３】従来のルアーは、発光体をルアーの内部に設置しているので、光が半減されてしまい十分な光を確保出来ない。また、発光体を取付けるためには、ホルダーが必要とされた。そのホルダーが突出する為に、水の抵抗を受けて、魚の様に泳げない。
【課題を解決するための手段】
【０００４】発光体をルアー本体に直接取付けられるように、ルアーに合せた流線型の袋状にする。
また、取付け面も脱着し易いように粘着張りとする。
【考案の効果】
【０００５】ルアー外部に直接発光体が取付けられる為に、光を発するのに何の隔たりも無く１００％の光源が得られる。ルアーの形状に合せた発光体が流線型の袋状なので、ルアーに沿って取付けられ水の抵抗を受けず、擬似魚として有効である。
【考案を実施するための最良の形態】
【０００６】発光体をルアーに合せた袋状にして粘着シートにて直接取付ける。
【実施例】
【０００７】発明の実施の形態を、実施例に基づき図面を参照しながら説明する。図１は、ルアー３に発光体１と２を直接取付けたかたちを示す。発光体は直接ルアー本体へ取付ける。【０００８】図２と図３は、本発明のルアーの平面図と正面図である。発光体は図１の側面図にあるように、目の部分１と横腹３に発光体が取付けられる。また、図２と図３に有るように発光体は両側面に取り付けられる。
【産業上の利用可能性】
【０００９】以上のように本発明によれば、専門メーカーが製造し、釣りの道具として、漁師から一般の釣り愛好家によって使われる。
【図面の簡単な説明】
【００１０】
【図１】本発明のルアーが使用される状況を示した側面図である。
【図２】本発明のルアーが使用される状況を示した平面図である。
【図３】本発明のルアーが使用される状況を示した正面図である。
【符号の説明】
【００１１】    １    ルアーの目に当たる部分の発光体
２    ルアーの横腹に当たる部分の発光体
３    ルアー本体部
【図１】
0003101785.tif 000003
【図２】
0003101785.tif 000004
【図３】
0003101785.tif 000005
(57)【要約】【課題】      装飾性に乏しい既存のＬＥＤ電光表示機スタンドに装飾性をもたせる。【解決手段】  スチール及びアルミフレームにて製作されたＬＥＤ電光表示機スタンドに花器部を周設し、造花等を植え込み装飾性の富んだスタンドにする。【選択図】    図１
0003101786.tif 000002
【実用新案登録請求の範囲】
【請求項１】
スチール及びアルミ製の鋼材を組み合わせたフレーム枠を用いてＬＥＤ電光表示機を固定したスタンドに於いてプランターなどの花器部を周設し造花を植え込む加工を施すことを特徴とするＬＥＤ電光表示機用フラワースタンド
【考案の詳細な説明】
【技術分野】
【０００１】  この考案は、店舗が宣伝広告を目的として設置するスタンド式ＬＥＤ電光表示機と開店祝い、改装祝などに贈られる花輪や生花スタンドの問題点をそれぞれの利点を損なわずに組み合わせたＬＥＤ電光表示機用フラワースタンドに関するものである。
【背景技術】
【０００２】  従来、電光掲示板ＬＥＤ電光表示機は、店舗が宣伝広告用に店舗内外に設置するものである。その中でもＬＥＤ電光表示機は、消費電気量が少なく、高輝度で人の目を引き寄せる効果から、あらゆる業種で導入されているが、店頭等に配置されているほとんどが、移動可能な台座若しくは、アルミ及びスチール製のフレーム枠のスタンドで固定し一体化されている。【０００３】  従来のフレーム枠の形状は、表示機を支え固定する支柱部材と稼動を安易にするキャスターを付けた底板部材で構成されているものである。そして、ほとんどのスタンドは、底板部に対して支柱部材が直立に設置され塗装や錆止めを施している。【０００４】  また、花輪や生花スタンドは取引先などから贈られ、店舗の装飾として、また、人の目を店舗の方向に引き寄せるものとして、店舗の内外に一定期間設置されるものである。【０００５】  上述した二品目は、装飾性の高さや通行人の注目度の高さにより、今後の客の入りに関して影響が出る部分では、店舗にとっては非常に重要なものである。
【考案の開示】
【考案が解決しようとする課題】
【０００６】  ＬＥＤ電光表示機のスタンドは、防錆処理はされているが底板から支柱部が露呈していることから表示機の大きさに比べ貧弱に見え、装飾性に欠けるため全体の見栄えも悪くなっている。【０００７】  ご祝儀用のスタンド生花は、お祝い事での贈答の意味と提供先自身の宣伝広告の目的を持った性質上、店頭に設置するものであり、提供先は業務上の取引先がほとんどであるため、少なくても数日間は設置するので提供数が多くなると設置スペースだけでも膨大になるといった問題点がある。
【課題を解決するための手段】
【０００８】  本考案の要旨とするところは、装飾性の乏しいＬＥＤ電光表示機及び固定枠自体をフラワースタンドとして利用し、露呈する脚部による見た目の悪さを補うために、電光表示機用のスタンドに花を植え込む花器部を周設した事を特徴とする電光表示機スタンドでありその結果、設置スペースを必要とする花輪や生花スタンドを周設した花器部で代用するものである。【０００９】  ＬＥＤ電光表示機スタンドと花器部の接続方法は、フック付きの花器部を用いるか、ボルトやナットで接続固定すれば良いのであって特に限定するものではない。【００１０】  周設する花器部の形状や寸法も花を植え込んだ状態において、電光表示機の表示部分を遮るような支障をきたすものでなければ、特に形状や寸法や材質は限定せず、周設する数量も外観を損なわない最適な数を設ければ良い。
さらに、植込み部材も発泡材やスポンジまたは、多数の円筒等を用いて植込む花を安定させる事が可能な部材で構成すればよい。【００１１】  脚部となるＬＥＤ電光表示機及びスタンドは、表示機自体の重量と周設した花器部の重量に耐えうるだけの強度を保てる資材をフレームとして用い、転倒しない構造であれば、資材の形状や数量及び固定枠として組み立てられた形状や大きさなどを特に限定するものではなく最適なものとすればよい。【００１２】  花器部に植込む花は、環境面や経済性及び安全性を踏まえ造花を植込むことが望ましい。生花の場合、葉や花弁が落ちてしまい周辺環境を考慮すれば、清掃などの手間も掛からない点と生花の場合は、必然的に水若しくは土などが必要とされるため全体の花器部の水や土などの重量が固定枠に対して負担が増加する点を考慮するならば造花の方が望ましいが装飾性に富ませる観点から生花が最適と判断する場合においては生花を選択すれば良い。
【考案の効果】
【００１３】  本考案では、装飾性の乏しいＬＥＤ電光表示機用スタンドに花器部を周設し造花を植込むことにより装飾性に格段の違いが見られただけでなく、花を用いることにより今まで出す事ができなかった季節感を表現でき宣伝広告を行いつつ街の美化に貢献できる。【００１４】  電光表示機とフラワースタンドと統合させることによりフラワースタンドが占有していたスペースが新たな空間として利用できる。【００１５】  夜間等暗い時間帯ではフラワースタンドの場合は、人に認識されづらいと言う欠点をＬＥＤ電光表示機の輝度によりわずかながらも認識することができる。【００１６】  スタンド部分に花器部を周設し造花を植え込むことにより装飾性を向上させることができた。造花のため製作コストを低く押さえることができ、容易に豪華さを高めることができる。
【実施例】
【００１７】  以下本考案のＬＥＤ電光表示機用スタンドの一実施例を図面に従って説明すると、図２は、本考案のＬＥＤ電光表示機用スタンドを示す一部切欠き側面図であり、１はＬＥＤ電光表示機本体であり２に固定溶接された６・７により本体付属のボルトによって固定され、２はＬＥＤ電光表示機用スタンド、３は花を飾る花器部であり、花器部３は花を植え込む植込部材８を備えている。４は、２に固定溶接された移動を安易にするためのキャスターである。【００１８】  図１は、ＬＥＤ電光表示機用スタンドを示す正面図であり、３花器部に５の造花群を植え込んだ実施図である。５の造花群は季節に合わせたものに交換できる上、造花自体も安価なためコスト的にも生花に比べ経済的である。【００１９】  図３は、１の電光表示機本体を取外し時点の正面図である。２に固定溶接された２ａは３の花器部をフックや金具を用いて周設する支柱部になる。３の花器部は、形状には拘らず市販のプランター等である。
【図面の簡単な説明】
【００２０】
【図１】正面図である。
【図２】一部切欠き側面図である。
【図３】電光表示機本体を取外し時点の正面図である。
【図１】
0003101786.tif 000003
【図２】
0003101786.tif 000004
【図３】
0003101786.tif 000005
(57)【要約】【課題】本考案は、室内等に利用される、強力且つ視覚的にスマートな縦突っ張り棒を提供する。【解決手段】伸縮棒Ｂ（１）に、伸縮調整止具（３）の一端を挿入して取付け、伸縮棒Ａ（２）に、この伸縮棒Ｂ（１）を伸縮調整止具（３）と共に挿入して設ける、また伸縮棒Ａ（２）の上端に螺旋状スプリング（５）を設け、さらに伸縮棒Ｂ（１）の下端に台座（４）を装着する。【選択図】  図  １【実用新案登録請求の範囲】
【請求項１】
伸縮棒Ｂ（１）に、伸縮調整止具（３）の一端を挿入して取付け、伸縮棒Ａ（２）に、この伸縮棒Ｂ（１）を伸縮調整止具（３）と共に挿入して設ける、また伸縮棒Ａ（２）の上端に螺旋状スプリング（５）を設け、さらに伸縮棒Ｂ（１）の下端に台座（４）を装着してなる、螺旋状スプリングを設けた伸縮調整止具内蔵の縦突っ張り棒。
【考案の詳細な説明】
【技術分野】
【０００１】  本考案は、主に室内環境等で使用される、突っ張り棒の技術に関するものである。
【背景技術】
【０００２】  従来、室内で利用される突っ張り棒は、縦型および横型があるが、とくに縦型のものは支柱としての役目が大きい為に、突っ張り力を強力にするとか、天井等にネジ止め施工する方法等が取られている。
【考案の開示】
【考案が解決しようとする課題】
【０００３】  室内で縦突っ張り棒を使用する場合は、洋服掛けハンガーの横棒の支柱として、またインテリア類を吊るす横棒の支柱として、これら重量の掛かる部分に使われる事が多い。【０００４】  その為に、縦突っ張り棒は強靭な点を要求される。現在は、天井にネジ止めをする方法が一般的であるが、この方法では天井を傷つけてしまうし、施工の手間が掛かるし、それでは、強力な力のバネを利用した突っ張り棒で取り付けたいと思うが、最近のほとんどの室内天井は、薄くて軽くて、強く押し込むと抜けてしまうものが大半である。
本考案は、このような問題を改善する為になされたものである。
【課題を解決するための手段】
【０００６】  伸縮棒Ｂ（１）に、伸縮調整止具（３）を一端から挿入して設ける、この時に伸縮調整止具（３）の先端一部が出ている状態にある。次に伸縮棒Ａ（２）に、この状態の伸縮棒Ｂ（１）を伸縮調整止具（３）の先端から、少しずつ挿入していって取付け設ける。これで伸縮棒に伸縮調整止具（３）が内蔵される。さらに、伸縮棒Ａ（２）の上端に螺旋状スプリング（５）を設ける。そして伸縮棒Ｂ（１）の下端に台座（４）を装着する。
本考案は、以上のような構成よりなる、螺旋状スプリングを設けた、伸縮調整止具内蔵の縦突っ張り棒である。
【考案の効果】
【０００７】  １．天井側の突っ張り棒の当たり面が、蚊取り線香状の螺旋スプリングになっているので、弱い天井に対しても、図２のごとくソフトタッチの螺旋輪となって、圧しつけられる為、天井を傷つける事なく、しかも保持安定度が数段に高くなる。
２．この螺旋状スプリングは上下のバネ効果もあるが、それ以上に左右横方向の力に働くバネ効果が絶大である事を発見した。つまりこのセットされた、縦突っ張棒を手で掴んで、左右に前後に強く振っても、この螺旋状スプリングの力吸収効果（ｚ）により、これら突っ張り棒が位置ずれしたり、外れたりして転倒する事は皆無であり、素晴らしい耐震構造になった。
３．突っ張り棒の天井接触面が平たい螺旋渦巻状になっている為、視覚的にスマートになり、突っ張り棒が直付けされているように見えて、すっきりした美観を提供する。
【考案を実施するための最良の形態】
【０００８】  図１で示す通り、本考案は伸縮棒Ａ（２）と伸縮棒Ｂ（１）を中心に形成されており、まず伸縮棒Ｂ（１）に、伸縮調整止具（３）を一端から少しずつ挿入して、先端の一部が出ている状態で設ける。【０００９】  次に伸縮棒Ａ（２）に対して、伸縮棒Ｂ（１）を、内部に設けてある伸縮調整止具（３）の先端部分から、共に少しずつ挿入して設ける。これで伸縮棒には伸縮調整止具（３）が内蔵される。【００１０】  さらに伸縮棒Ａ（２）の上端に、図１のごとく、螺旋状スプリング（５）を設ける。【００１１】  最後に、伸縮棒Ｂ（１）の下端に台座（４）を装着する。【００１２】  本考案によれば、伸縮調整止具（３）は図６、図７のごとく伸縮棒Ａ（２）側に挿入固定される部分には、傾斜を転がるストッパーローラーを設けた、内面をスライドする傾斜ボックスを備え、これに、コイルスプリングが接続され、このスプリングは伸縮棒Ｂ（１）側のスプリング固定ボックスにも固定されている。つまり伸縮棒Ｂ（１）を伸縮棒Ａ（２）内で、上下に位置を変えてスライドさせると、スライドストッパローラーが転がって、傾斜の頂点に来たところで、伸縮棒Ａ（２）の内面と傾斜ボックスの傾斜面との隙間に、前記ローラーは挟まれて、伸縮棒Ａ（２）の内面でスライドしていた、傾斜ボックスがロックされて、伸縮棒Ｂ（１）も固定される。但し、伸縮棒Ｂ（１）はコイルスプリングの長さ分だけは、伸縮棒Ａ（２）の中で伸縮スライド出来る。このような伸縮調整止具（３）を使用することが、ベストである。【００１３】  また、螺旋状スプリング（５）は図４のごとく通常の螺旋を変形させた、角形螺旋状にしても、ベストな効果を得ることができる。
本考案は以上のような構成であり、これを使用せんとするときには、【００１４】天井から床までの高さより少し長めに合わせて、伸縮棒Ｂ（１）を伸縮棒Ａ（２）から抜きながら伸ばして、その高さにあわせて伸縮調整止具（３）のスライドストッパーローラーを転がしてロックする。このロック方法は伸縮棒Ｂ（１）を上下に少しショックを与えて動かすと、前記ローラーが転がってロックポイントで固定されるのである。【００１５】  次に、螺旋状スプリング（５）を天井に圧し付けて、伸縮棒Ｂ（１）を伸縮棒Ａ（２）に、押し込んで離すと、伸縮調整止具（３）のコイルバネの押圧力（ｆ）と、螺旋状スプリング（５）の押圧力（ｊ）により、図２のごとく縦突っ張り棒が天井と床に固定されるのである。このようにセットされた縦伸縮棒に図３のごとく、吊具（６）を設ければ、室内装飾および鑑賞用プランタン等に使用できる。
【図面の簡単な説明】
【００１６】
【図１】本考案の斜視図である。
【図２】本考案の実施図である。
【図３】本考案の利用参考図である。
【図４】本考案の角形螺旋状スプリングのパターン平面図である。
【図５】本考案の標準螺旋状スプリングのパターン平面図である。
【図６】本考案のロック解除状態にある伸縮調整止具の断面図である。
【図７】本考案のロック状態にある伸縮調整止具の断面図である。
【符号の説明】
【００１７】１  伸縮棒Ｂ
２  伸縮棒Ａ
３  伸縮調整止具
４  台座
５  螺旋状スプリング
６  吊具
ｆ  押圧力
ｊ  押圧力
ｚ  力吸収効果
【図１】
0003101788.tif 000002
【図２】
0003101788.tif 000003
【図３】
0003101788.tif 000004
【図４】
0003101788.tif 000005
【図５】
0003101788.tif 000006
【図６】
0003101788.tif 000007
【図７】
0003101788.tif 000008
(57)【要約】      （修正有）【課題】腰を屈めて行う面倒なフックの掛け外しの作業をなくし、通行の妨げになる床又は壁下部に取り付ける必要がなく、さらに構造がシンプルで製造コストの廉価な戸当たりを提供する。【解決手段】内部が空洞になっている戸当たりの軸に凸状に起伏を付けた板バネを装着し、キャップで固定する。それを壁にネジで留め取り付ける。他方扉側に先端部を楕球状にした軸を取り付ける。扉側の軸が、壁側の戸当たりの空洞部に入り、扉側の軸の楕球部が板バネの凸部に当たりその地点でとまる。そこから更に軽く扉を押すと扉側の軸が通過する際、板バネの凸部が圧力を受けて下がり、楕球凸部が通過する。楕球凸部が通過すると次に楕球凹部が板バネの凸部に掛かり扉側の軸が固定される。また、この操作を逆にすることで、固定を解除し扉を閉めることができる。【選択図】図１
0003101789.tif 000002
【実用新案登録請求の範囲】
【請求項１】
壁側に取付けた戸当りの軸（図１−１）に内蔵した板バネ（図１−３）の突起部を扉側に取付けた軸（図１−２）の楕球凸部が通過し、板バネの突起部に扉側に取付けた軸の楕球凹部が係ることにより、自動的に扉の開放状態を保持できる戸当たり。
【考案の詳細な説明】
【考案の詳細な説明】
【背景技術】
【０００１】  従来の戸当たりは、扉に当接する側にゴムなどの緩衝体を配設し、かつ床面に突出するように取り付ける戸当たり本体と、扉側に取り付けた係止具とよりなり、開扉時戸当たり本体に扉を当接するようにし、戸当たり本体に備えたフックを係止具に引っ掛けて係止めできるように構成している。これにより、扉の許容範囲以上に開かないようにするとともに、戸当たり本体に配設したフック或いは止め具を、扉側の係止片に引っ掛けることにより、定位置で開放状態を保持するようにしている。
【考案の開示】
【考案が解決しようとする課題】
【０００２】  従来の技術においては、開戸状態を保つには腰を屈めて扉側に取り付けたフックを戸当たりに引っ掛け、また扉を閉じる場合にもこのフックを外す作業を要し、特に高齢者にとってはフックの掛け外し時に腰を屈めての操作が困難になるという問題があった。また、人手による操作が必要になるため、手の届かない扉の上部には装置を取り付けることができず、下部に取り付けざるを得ないため通行の妨げになるという問題があった。
【課題を解決するための手段】
【０００３】  上記課題を解決するために、  内部が空洞になっている戸当たりの軸（図１−１）に凸状に起伏を付けた板バネ（図１−３）を装着し、キャップ（図１−４）で固定する。それを壁にネジ（図１−５）で留め取り付ける。他方扉側に先端部を楕球状にした軸（図１−２）を取り付ける。
扉側の軸が、壁側の戸当たりの空洞部に入り、扉側の軸の楕球部が板バネの凸部に当たりその地点でとまる。そこから更に軽く扉を押すと扉側の軸が通過する際、板バネの凸部が圧力を受けて下がり、楕球凸部が通過する。楕球凸部が通過すると次に楕球凹部が板バネの凸部に掛かり扉側の軸が固定される。
また、この操作を逆にすることで、固定を解除し扉を閉めることができる。
【考案の効果】
【０００４】  この装置を利用することで、人手を使わずに自動的に扉を開放状態に固定することができる。また人手を使わないため、通行の妨げにならないように、扉の上部にも取り付けることができる。
【図面の簡単な説明】
【図１】装置の部品を展開した斜視図である
【図２】装置の断面図である。
【符号の説明】
１  壁側の戸当たりの軸
２  扉側の軸
３  板バネ
４  板バネを壁側の戸当たりの軸に固定するキャップ
５  壁側の戸当たりの軸を壁に固定するネジ
【図１】
0003101789.tif 000003
【図２】
0003101789.tif 000004
(57)【要約】      （修正有）【課題】動物体毛カット時、従来の鋭利な先端のハサミによる動物身体殺傷の危険性を改善し安全にカットできるようにした。【解決手段】ハサミの先端部分を半球型３にすることによりカット時動物身体への刺し傷、引っ掻き傷などの危険性を少なくできるようにした。【選択図】図１
0003101733.tif 000002
【実用新案登録請求の範囲】
【請求項１】
ハサミの先端部分を半球型にする事により安全性を高めた、動物体毛カット用安全ハサミ
【考案の詳細な説明】
【技術分野】
【０００１】  本考案は動物の体毛カット時に危険性を少なくするためのものである。
【背景技術】
【０００２】  動物体毛カット時、従来のハサミでは動物の不慮な行動により、動物自身を傷つける可能性があった。はさみの鋭利な先端を半球型にすることにより改善出来ないかと考案した。
【考案の開示】
【考案が解決しようとする課題】
【０００３】  解決しようとする問題点、従来のハサミでは動物の体毛をカットする際に、動物身体への殺傷等危険性が高い。通常、使用するハサミは先端が鋭利なものが多く、動物の予測できない不慮の行動で動物身体が傷つく危険性があった。
【課題を解決するための手段】
【０００４】  ハサミの先端部分を半球型にし、不慮の行動で動物身体がハサミに接触しても傷つきにくい構造にした。
【考案の効果】
【０００５】  従来の鋭利先端のハサミに比べ、先端を半球型にすることによって動物身体への刺し傷、引っ掻き傷などの発生が少なくなった。
【考案を実施するための最良の形態】
【実施例】
【０００６】  以下、添付図面に従って一実施例を説明する。図１の３先端半球型部分の様に通常のハサミのように、鋭利な先端から半球型にする事により、様々な角度から動物身体の接触があった場合でも効果的にその安全性が確保できる。
先端の部分はハサミ製造段階から半球型で作成することにより、先端部分の離脱や摩耗がなくハサミ自体の長期間の耐年性がある。また、ハサミの形状が大きく変わるわけでは無いため、カット技術の妨げにならない。
【図面の簡単な説明】
【０００７】
【図１】ハサミ先端を半球型にした正面図である。
【図２】ハサミ先端部分が半球型と良く解る側面図である。
【符号の説明】
【０００８】１  はさみ本体
２  ハサミ結合部
３  先端の半球型部分
【図１】
0003101733.tif 000003
【図２】
0003101733.tif 000004
(57)【要約】      （修正有）【課題】豆腐などの食材を料理の目的にあわせ、能率的にまた安全にサイの目に切ることを目的とする。【解決手段】外箱１の内部に十文字ワイヤー３を張った縦枠２と横線ワイヤー５を張った横枠４を設け外枠の一部に空気穴６を有することを特徴とするカッター。【選択図】図１
0003101735.tif 000002
【実用新案登録請求の範囲】
【請求項１】
外箱（１）の内部に十文字ワイヤー（３）を張った縦枠（２）と横線ワイヤー（５）を張った横枠（４）を設け外枠の一部に空気穴（６）を有することを特徴とするサイの目カッター。
【考案の詳細な説明】
【考案の詳細な説明】
【産業上の利用分野】
【０００１】  本考案は、食材加工の道具に関するものである。
【背景技術】
【０００２】  従来は、豆腐等の食材をサイの目にカットする場合には、まな板や手のひらの上に乗せ包丁で切るのが一般的である。また、豆腐きり器が使用されている。（特許文献１参照）（特許文献２参照）（特許文献３参照）【０００３】
【特許文献１】特開平１０−２６２８３９号公報
【特許文献２】特開平５−４１９３号公報
【特許文献３】特開平９−１３１６９６号公報
【考案が解決しようとする課題】
【０００４】  これには次の欠点があった。
【０００５】従来のまな板や手のひらの上で包丁を使い切る方法には次のような欠点があった。
（イ）切れ目を入れる度に食材が不安定になる。
（ロ）切れ目を入れる度に食材が不安定になるため、形のそろった切断が難しい。
（ハ）手のひらの上で切る場合、手を切る危険がある。
【０００６】特開平１０−２６２８３９号公報の場合次のような欠点があった。
（イ）豆腐を乗せた治具ごと手に持たなければならないので不安定になりやすい。
（ロ）包丁を使って３方向から切るので技術を要し均等な形に切りにくい。
（ハ）手のひらの上で包丁を使い切る方法と時間的には変わらない。
【０００７】特開平５−４１９３号公報の場合次のような欠点があった。
（イ）構造が複雑で製造コストが高くなる。
（ロ）使用方法も手順が面倒で使いにくい。
（ハ）手入れが面倒で不衛生になりやすい。
【０００８】特開平９−１３１６９６号公報の場合次のような欠点があった。
（イ）容器の上面に格子状に細線が張ってあり、容器に入れる時に格子状に切断される構造であるが、食材の案内部分が無いため、柔らかい豆腐を垂直に、しかも容器の形に入れることは極めて困難であり、この時点で豆腐が壊れる可能性がある。
（ロ）容器より小さな豆腐を入れる場合斜めに入ってしまう可能性があり、結果として菱形の形状に切断されてしまうことになる。
（ハ）豆腐の大きさに対応するためには、豆腐の大きさの種類の容器と細線を張った外枠を用意しなければならないため、部品点数が増え、使用時の選択と管理が煩雑になる。
（ニ）この結果、全種類の容器と外枠を揃えるためには多額の費用と広い収納場所を必要とし、かえって不便になる。
本発明は、以上の欠点を解決するためになされたものである。
【課題を解決するための手段】
【０００９】  外箱（１）の内部に十文字ワイヤー（３）を張った縦枠（２）と横線ワイヤー（５）を張った横枠（４）を設け外枠の一部に空気穴（６）を有することを特徴とするサイの目カッター。
【考案を実施するための最良の形態】
【００１０】  以下、本考案の実施形態について説明する。
（イ）切断しようとする食材の２倍の容積を持つ上面が開放された外箱（１）の（Ｂ）部の底部に複数の子穴（６）を設け、中央部に垂直に設置した丈夫な十文字ワイヤー（３）を張着した縦枠（２）と、外箱（１）の（Ｂ）部分上面部に丈夫な横線ワイヤー（５）を張着した横枠（４）を設置する。
（ロ）縦枠（２）と横枠（４）は、それぞれ外箱（１）に設けられた縦枠溝（７）及び横枠溝（８）にはめ込まれれることにより固定される。
本考案は、以上の構成よりなるサイの目カッターである。
本考案を使用するときは、図２に示すようにまず切断しようとする食材（９）を水平に保持した外箱（１）の（Ａ）の部分に収納する。次に外箱（１）を（Ｂ）が低くなる方向に傾ける。すると、図３に示すように食材（９）は自重によって（Ａ）部から（Ｂ）部へと滑って移動し、この時中央部にある縦枠（２）に張着した細線（３）により十文字に切断される。
次に図４に示すように食材（９）が（Ｂ）に移動したまま外箱（１）を水平に保ち食材（９）を調理せんとするなべの上部で上下を逆に返すと食材（９）は自重で下に落ちる。子穴（６）は、食材の底部への張り付き防止と余分な水の排出を目的とする。食材（９）は自重で下に落ちる時、横枠（４）に張着せられた横線ワイヤー（５）によって横方向に切断される。食材の固さによって切れの悪い時は、外箱（１）ごと軽く振ることにより切断できる。以上の動作により食材（９）はサイの目に切断される。
【考案の効果】
【００１１】  以上のように、この考案によると、手のひらやまな板での上で不安定な状態で切断する必要がなくなり、包丁も使う必要が無いので、不器用な人にも安全にサイの目状の食品が簡単に作ることができる。また、可動部品が無いので故障も無く洗浄も簡単で衛生的である。たとえ食材が小さくても容器の隅に収納してから壁面に添わせるように移動することにより正確なサイコロ状の切断が可能となり、複数の容器を用意する必要は無く、マス目を変えた数種類の縦枠（２）と、横枠（４）を交換するだけで自由にサイの目の大きさを変えることができる。また、最初に外箱（１）の何も無い部分（Ａ）に食材（９）を収納してから加工するため、型崩れの心配が無い。
これにより軟らかい食材のサイの目加工が今までとは比べものにならない程短時間で正確にできるようになり、時間に余裕の無い人や大量の加工する現場などでは非常に便利な道具として利用できる。
【図面の簡単な説明】
【００１２】
【図１】  本考案の斜視図
【図２】  食材を入れた実施例を示す斜視図
【図３】  十文字カットの実施例を示す斜視図
【図４】  サイの目にカットする実施例を示す斜視図
【符号の説明】
１    外箱
２    縦枠
３    十文字ワイヤー
４    横枠
５    横線ワイヤー
６    空気穴
７    縦枠溝
８    横枠溝
９    食材
Ａ    食材を入れるスペース
Ｂ    食材が移動するスペース
【図１】
0003101735.tif 000003
【図２】
0003101735.tif 000004
【図３】
0003101735.tif 000005
【図４】
0003101735.tif 000006